(57)【要約】【課題】会計装置の稼働中は客の手荷物を置くために利用する荷物置き部を、会計装置を休止する際にはその旨を客に知らせるための案内板の代わりに利用することができるカウンタを提供する。【解決手段】カウンタは、会計装置を載置するカウンタ本体と、前記カウンタ本体の上面に設けられたカウンタ面と、前記カウンタ本体の客側正面であって前記カウンタ面の下方に設けられ、前記会計装置における会計時に客の手荷物を置くための荷物置き面を有する板状の荷物置き部と、前記カウンタ面に対して平行な位置に前記荷物置き面を位置付ける水平位置と、前記カウンタ面に対して直交する位置に前記荷物置き面を位置付ける垂直位置との間で前記荷物置き部をそれぞれ位置移動可能に支持する支持機構と、を備える。【選択図】図６
2015156140.tif 000002
【特許請求の範囲】
【請求項１】
会計装置を載置するカウンタ本体と、
前記カウンタ本体の上面に設けられたカウンタ面と、
前記カウンタ本体の客側正面であって前記カウンタ面の下方に設けられ、前記会計装置における会計時に客の手荷物を置くための荷物置き面を有する板状の荷物置き部と、
前記カウンタ面に対して平行な位置に前記荷物置き面を位置付ける水平位置と、前記カウンタ面に対して直交する位置に前記荷物置き面を位置付ける垂直位置との間で前記荷物置き部をそれぞれ位置移動可能に支持する支持機構と、
を備えることを特徴とするカウンタ。
【請求項２】
前記荷物置き部は、前記荷物置き面とは反対の面に、所定のメッセージを表示する、
ことを特徴とする請求項１記載のカウンタ。
【請求項３】
前記荷物置き部は、前記荷物置き面とは反対の面に表示部を備え、
前記表示部は、前記荷物置き面が垂直位置に位置付けられている場合に、所定のメッセージを表示する、
ことを特徴とする請求項２記載のカウンタ。
【請求項４】
前記所定のメッセージは、前記会計装置が休止中である旨のメッセージである、
ことを特徴とする請求項１記載のカウンタ。
【請求項５】
前記荷物置き部は、前記荷物置き面が垂直位置に位置付けられている場合に、前記カウンタ本体に載置された前記会計装置の少なくとも一部が当該荷物置き部に重なる、
ことを特徴とする請求項１ないし４の何れか一記載のカウンタ。
【発明の詳細な説明】
【技術分野】
【０００１】
本発明の実施形態は、カウンタに関する。
【背景技術】
【０００２】
従来、コンビニエンスストア，薬局，書店など店舗において、会計装置であるＰＯＳ（Point  Of  Sale）端末を設置する対面カウンタには、会計の際に金銭を支払う客が一時的に手荷物を置くための荷物置き部が客側に突出されて設けられている。
【０００３】
また、コンビニエンスストア，薬局，書店などの対面カウンタの店舗において、対面カウンタに設置されるＰＯＳ端末を休止させる場合、休止中であることを示す案内板を対面カウンタ上に載置するようにしている。このような案内板によれば、来店客に対して一目で分かり易い表示をすることができる。
【０００４】
しかしながら、上述したような案内板を店舗で使用する場合、ＰＯＳ端末の稼働中においては置き場所がないと案内板は邪魔な存在でしかない、という問題がある。
【発明の概要】
【発明が解決しようとする課題】
【０００５】
本発明が解決しようとする課題は、会計装置の稼働中は客の手荷物を置くために利用する荷物置き部を、会計装置を休止する際にはその旨を客に知らせるための案内板の代わりに利用することができるカウンタを提供することである。
【課題を解決するための手段】
【０００６】
実施形態のカウンタは、会計装置を載置するカウンタ本体と、前記カウンタ本体の上面に設けられたカウンタ面と、前記カウンタ本体の客側正面であって前記カウンタ面の下方に設けられ、前記会計装置における会計時に客の手荷物を置くための荷物置き面を有する板状の荷物置き部と、前記カウンタ面に対して平行な位置に前記荷物置き面を位置付ける水平位置と、前記カウンタ面に対して直交する位置に前記荷物置き面を位置付ける垂直位置との間で前記荷物置き部をそれぞれ位置移動可能に支持する支持機構と、を備える。
【図面の簡単な説明】
【０００７】
【図１】図１は、実施形態に係るＰＯＳ端末を載置するカウンタをオペレータ側から見た斜視図である。
【図２】図２は、カウンタを客側から見た斜視図である。
【図３】図３は、荷物置き部の支持機構を示す斜視図である。
【図４】図４は、荷物置き部の支持機構を示す正面断面図である。
【図５】図５は、位置移動する荷物置き部を示す模式図である。
【図６】図６は、荷物置き部を垂直位置に位置付けた場合のカウンタを客側から見た斜視図である。
【発明を実施するための形態】
【０００８】
本実施形態について図を参照して説明する。本実施形態は、会計装置であるＰＯＳ（Point  Of  Sale）端末１を載置するカウンタを適用した例である。ＰＯＳ端末１は、コンビニエンスストア，薬局，書店などの対面カウンタの店舗で用いられるものであって、キャッシャと称されるオペレータが操作してチェックアウト業務を行う端末である。
【０００９】
ここで、図１は実施形態に係るＰＯＳ端末１を載置するカウンタ１０をオペレータ側から見た斜視図、図２はカウンタ１０を客側から見た斜視図である。図１および図２に示すように、ＰＯＳ端末１は、カウンタ１０上に設置される。
【００１０】
カウンタ１０の主体となるカウンタ本体１０ａは、買物籠や商品などの物品が載置されるカウンタ面を構成する天板１１と、天板１１の一部を切り欠いた設置部１２とを備える。カウンタ本体１０ａは、オペレータ側に、複数の棚板１４，１５を備えている。設置部１２において最上段に位置する棚板１４には、上部を天板１１から露出した状態でＰＯＳ端末１が設置される。また、天板１１の下方において最上段に位置する棚板１４には、ポイントカードなどに対する情報の読み取りや書き込みを行うカードリーダライタ３０が設置される。
【００１１】
次に、ＰＯＳ端末１について詳述する。ＰＯＳ端末１は、図１に示すように、制御部（図示せず）を内蔵する本体部４０に、キーボード５０とオペレータ側ディスプレイ６０と客側ディスプレイ７０とプリンタ８０と非接触カードリーダライタ１００と自動釣銭機１１０とを配設している。また、ＰＯＳ端末１は、図１に示すように、スキャナ９０も備えている。
【００１２】
本体部４０は、外装カバー４２に覆われている。外装カバー４２は、カウンタ１０の設置部１２にＰＯＳ端末１を設置した状態で天板１１から最も離れた位置となる頂点部４１を有し、頂点部４１から前後方向に対して傾斜するラウンド形状である。外装カバー４２の頂点部４１からオペレータ側には、オペレータ側ディスプレイ６０とキーボード５０とが頂点部４１からオペレータ側に向かって順に配置される。一方、外装カバー４２の頂点部４１から客側には、客側ディスプレイ７０と非接触カードリーダライタ１００とが外装カバー４２の幅方向に並んで配置される。すなわち、外装カバー４２は、オペレータ側ディスプレイ６０の上辺と客側ディスプレイ７０の上辺との間隙を頂点部４１として突出させ、頂点部４１を上端として両端がオペレータ側または客側に向かって曲線で下がる形状となっている。
【００１３】
さらに、外装カバー４２の下方にはプリンタ８０と自動釣銭機１１０とが配置されている。プリンタ８０の本体は、外装カバー４２の内部に収納されており、レシート排出口８１を外装カバー４２の外部に露出させている。また、自動釣銭機１１０の本体も、外装カバー４２の内部に収納されており、後述する硬貨受入口１３１と硬貨払出口１３２と紙幣入出口１２１とを外装カバー４２の外部に露出させている。
【００１４】
加えて、外装カバー４２は、オペレータ側ディスプレイ６０に対して外装カバー４２の幅方向に並ぶ位置に、スキャナ９０を載置するスキャナ台９１を備えている。また、外装カバー４２は、キーボード５０に対して外装カバー４２の幅方向に並ぶ位置であってスキャナ台９１に対してオペレータ側に向けて連接する位置に、金銭載置部２０を備えている。そして、金銭載置部２０は、販売登録処理に応じて硬貨を入出金する硬貨入出金装置１３０の硬貨受入口１３１に対して直線的に連接されており、硬貨受入口１３１への硬貨投入を可能にしている。
【００１５】
なお、スキャナ台９１と金銭載置部２０とが連接して設けられていることから、スキャナ台９１上にスキャナ９０を載置しない状態では、スキャナ台９１も金銭を載置する場所として利用することができる。すなわち、スキャナ台９１は、紙幣が多い場合などにおいては、スキャナ９０を載置せずに金銭を載置する場所として一時的に利用される。
【００１６】
図１に示すように、ＰＯＳ端末１の外装カバー４２は、ラウンド形状となっており、凹凸部分が少ないことから、煩雑なイメージを与えない構造となっている。また、ＰＯＳ端末１の外装カバー４２は、凹凸部分が少ないことから、容易に清掃することが可能となっている。さらに、ＰＯＳ端末１の外装カバー４２をラウンド形状としたことにより、金銭載置部２０以外の部分に商品や金銭が置かれると滑り落ちてしまうため、金銭載置部２０以外の部分に商品や金銭が置かれることを防止している。
【００１７】
オペレータ側ディスプレイ６０は、オペレータ用に画像を表示するディスプレイであり、商品販売登録処理に関する情報を表示する。客側ディスプレイ７０は、客用に画像を表示するディスプレイであり、商品販売に関する情報を表示する。商品販売に関する情報とは、例えば、キャンペーン情報、割引情報、セール情報、メッセージ情報などである。また、オペレータ側ディスプレイ６０と客側ディスプレイ７０とは、タッチパネルを備えてもよい。
【００１８】
オペレータ側ディスプレイ６０は、オペレータ用の画像が正立するように、オペレータ側に傾けられて配設される。客側ディスプレイ７０は、客用の画像が正立するように、客側に傾けられて配設される。このように、オペレータ側ディスプレイ６０および客側ディスプレイ７０は、傾けられて配設されることにより視認性を向上させている。
【００１９】
なお、天板１１から頂点部４１までの高さは、オペレータ側ディスプレイ６０の傾き角度と客側ディスプレイ７０の傾きの角度に依存するが、オペレータおよび客がＰＯＳ端末１上で商品や金銭を手渡しすることが可能となる高さに全高が抑えられている。
【００２０】
そして、オペレータ側ディスプレイ６０の上辺と客側ディスプレイ７０の上辺との間隙は、硬貨の直径以下となっており、硬貨や商品を置くことが困難となっている。また、間隙は、表面の形状によって硬貨や、商品を置くことを困難としてもよい。本実施形態では、間隙の表面が曲面で構成されている。
【００２１】
キーボード５０は、オペレータ側ディスプレイ６０の下方に隣接して配置される。キーボード５０は、入力操作に用いられる各種キーを備える。例えば、数字キーや締めキーなどである。
【００２２】
プリンタ８０は、レシートや領収書の印字に用いられるレシートプリンタである。スキャナ９０は、商品にコードシンボルの形態で付された商品コードなどの商品情報を光学的に読み取る可動式のハンディスキャナである。非接触カードリーダライタ１００は、非接触ＩＣカードと無線通信を確立し、非接触ＩＣカードに対して情報を読み書きする。非接触ＩＣカードは、一例として現金と等価な価値を有する電子マネーを記憶保存することが可能である。
【００２３】
自動釣銭機１１０は、硬貨Ｃ（図２参照）を入出金する硬貨入出金装置１３０と、紙幣（図示せず）を入出金する紙幣入出金装置１２０と、を備えている。
【００２４】
硬貨入出金装置１３０は、上方から落下する硬貨Ｃを受け入れる硬貨受入口１３１と、硬貨Ｃを払い出す硬貨払出口１３２とを有する。硬貨受入口１３１と硬貨払出口１３２とは、外装カバー４２の外部に露出されている。硬貨受入口１３１は、上方に向けて開口している。
【００２５】
硬貨入出金装置１３０は、硬貨受入口１３１で受け入れた硬貨Ｃを内部で金種毎に分別収納する。そして、硬貨入出金装置１３０は、収納した硬貨Ｃを、釣銭データに基づいて、釣銭として硬貨払出口１３２に払い出す。
【００２６】
紙幣入出金装置１２０は、紙幣入出口１２１を有する。紙幣入出口１２１は、外装カバー４２の外部に露出されている。紙幣入出金装置１２０は、紙幣入出口１２１で受け入れた紙幣を、内部で金種毎に分別収納する。そして、紙幣入出金装置１２０は、内部に収納した紙幣を、釣銭データに基づいて、釣銭として紙幣入出口１２１に払い出す。
【００２７】
なお、硬貨入出金装置１３０の硬貨払出口１３２は、自動釣銭機１１０の左右方向（幅方向）で、硬貨受入口１３１と紙幣入出口１２１との間に配置されている。
【００２８】
制御部は、特に図示しないが、ＣＰＵ（Central  Processing  Unit）、ＲＯＭ（Read  Only  Memory）、ＲＡＭ（Random  Access  Memory）、計時部を有し、これらがバスラインを介して接続されて構成されている。ＣＰＵには、前述したカードリーダライタ３０，キーボード５０，オペレータ側ディスプレイ６０，客側ディスプレイ７０，プリンタ８０，スキャナ９０，非接触カードリーダライタ１００，自動釣銭機１１０などがバスラインを介して接続されている。また、ＣＰＵには、ＨＤＤ（Hard  Disk  Drive）及び通信インターフェースがバスラインを介して接続されている。ＨＤＤは、ＣＰＵを動作させるプログラムの他、商品コード毎に商品名や単価などの商品情報を記憶する商品マスタファイル、販売データを記憶する売上ファイル等を格納している。
【００２９】
制御部（ＣＰＵ）は、プログラムに従って商品の販売登録処理を行う。例えば、制御部は、スキャナ９０が読み取った商品コードの入力やキーボード５０からの販売量の入力を受け付け、受け付けた商品コードに対応する商品情報を商品マスタファイルから読み出す。次に、制御部は、商品マスタファイルから読み出した商品情報及び商品の販売量に基づいて当該商品の販売記録を示す販売データを生成してこれをＲＡＭやＨＤＤなどの記憶部に記憶することにより、当該商品の販売登録を行う。そして、制御部は、キーボード５０の締めキーが操作されると、釣銭に関する釣銭データを自動釣銭機１１０に送信して釣銭を払い出させるとともに、販売登録した商品のレシート情報を作成し、このレシート情報に基づくレシートをプリンタ８０に印字発行させる。
【００３０】
加えて、図２に示すように、ＰＯＳ端末１が載置されたカウンタ１０のカウンタ面を構成する天板１１の下方であって客側には、客が会計時に手荷物を置くための板状の荷物置き部２００が設けられている。
【００３１】
ここで、カウンタ１０に対する荷物置き部２００の取り付け構造について詳述する。ここで、図３は荷物置き部２００の支持機構２１０を示す斜視図、図４は荷物置き部２００の支持機構２１０を示す正面断面図、図５は位置移動する荷物置き部２００を示す模式図である。図４では、カウンタ１０を客側上方から見て左側に位置する一方の支持機構２１０のみ示している。
【００３２】
図３に示すように、荷物置き部２００の下端部分（カウンタ１０に近い部分）には、荷物置き部２００の一部である荷物置き面２００ａと平行な平面状の固定板４１１が内蔵されている。固定板４１１は、荷物置き部２００に対してネジ（図示せず）によって位置固定されている。固定板４１１の客側から見て左側には、側面板４１２ａが設けられている。同様に、固定板４１１の客側から見て右側には、側面板４１２ｂが設けられている。側面板４１２ａ、４１２ｂは、それぞれ固定板４１１に対して直角をなしている。側面板４１２ａの外側の面には、側方に延出した支持軸４１３ａが一体に設けられている（図４、図５等参照）。
【００３３】
側面板４１２ｂの外側の面には、側方に延出した支持軸４１３ｂ（図５等参照）が一体に設けられている。支持軸４１３ａと４１３ｂとは、互いに同心であり、荷物置き面２００ａと面方向と平行な軸方向を有する。以下、支持軸４１３ａと支持軸４１３ｂとを併せて支持軸４１３と称することがある。なお、支持軸４１３ａ、４１３ｂは、それぞれ、側面板４１２ａ、４１２ｂよりも固定板４１１側に突出している。支持軸４１３ａ、４１３ｂの突出部分を覆うキャップ４１５ａ、４１５ｂが側面板４１２ａ、４１２ｂには取り付けられている。カウンタ１０について、客側から見て左側部分の上面には、軸支持部４１４ａが固定されている。同様に、客側から見て右側部分の上面には、軸支持部４１４ｂが固定されている。軸支持部４１４ａ、４１４ｂは、それぞれ支持軸４１３ａ、４１３ｂを回動自在に保持している。したがって、荷物置き部２００は、図３に示すような荷物置き面２００ａが水平な水平位置と、荷物置き面２００ａが矢印Ｄの方向に位置移動した垂直位置（図５）とに位置移動自在に支持されている。なお、カウンタ１０には、ストッパ（図示せず）が設けられている。ストッパは、荷物置き部２００に当接することで荷物置き部２００の位置移動を規制し、荷物置き部２００を水平位置に位置付ける。つまり、固定板４１１、側面板４１２ａ、４１２ｂ、支持軸４１３ａ、４１３ｂ、軸支持部４１４ａ、４１４ｂ、及びストッパは、支持機構４０１を構成する。
【００３４】
側面板４１２ａの客側から見て左側には、弾性部材としてトーションバネ５１１ａが設けられている。また、側面板４１２ｂの客側から見て右側には、弾性部材としてトーションバネ５１１ｂが設けられている。トーションバネ５１１ａは、その両端部分として側方に延びたアーム５２１ａと上方に延びたアーム５２２ａとを有する。アーム５２１ａとアーム５２２ａとを近づけさせて閉状態にすることによりトーションバネ５１１ａは反発力を蓄積し、閉状態の解除によりトーションバネ５１１ａは開状態へと復元する。トーションバネ５１１ｂについても、トーションバネ５１１ａと同様の構造である。以下、トーションバネ５１１ａとトーションバネ５１１ｂとを併せてトーションバネ５１１と称することがある。
【００３５】
荷物置き部２００が水平位置に位置付けられている状態において、客側から見て左側のトーションバネ５１１ａは、その内径の中心である開閉中心が支持軸４１３ａ（図４参照）と同心上となるように設けられている。トーションバネ５１１ａは、アーム５２２ａが矢印Ｃの方向に閉じる向きで設けられている。アーム５２１ａは、軸支持部４１４ａの一部であるアーム保持部５１２ａによって保持されている。アーム押圧部５１３ａは、側面板４１２ａに対して荷物置き面２００ａ側に設けられている。図４に示すように、荷物置き部２００が水平位置に位置付けられている場合、アーム５２２ａとアーム押圧部５１３ａとは当接している。
【００３６】
なお、荷物置き部２００が水平位置に位置付けられている状態において、客側から見て右側についても同様であり、その説明は省略する。
【００３７】
また、荷物置き部２００が水平位置から矢印Ｄ方向の垂直位置に位置移動することにより、アーム押圧部５１３ａとアーム５２２ａとの当接は解除される。つまり、トーションバネ５１１ａのアーム５２２ａには何ら押圧力は付与されずその位置は不変であり、トーションバネ５１１ａに反発力は蓄積されない。一方で、このとき、客側から見て右側のトーションバネ５１１ｂのアーム（図示せず）はアーム押圧部（図示せず）によって押圧されて矢印Ｄ方向に閉じ、トーションバネ５１１ｂは反発力を蓄積する。蓄積される反発力によって荷物置き部２００は、垂直位置から水平位置に向かう方向に押圧される。ここに、押圧機構５０１が実現されている。
【００３８】
これにより、荷物置き部２００は、垂直位置と水平位置との間の任意の位置で位置保持が可能である。このような位置保持は、位置保持機構６０１（図４参照）によって実現される。支持機構４０１と押圧機構５０１と位置保持機構６０１とは、支持機構２１０を構成する。
【００３９】
図４に示すように、支持機構４０１が有する軸支持部４１４ａは、固定板４１１の方向に向けて開口した中空の筒部４４１ａを主体に構成されている。筒部４４１ａの中空部分は、開口側の第１の中空部４４２ａと、筒部４４１ａの内周面に形成された弁４４３ａによって第１の中空部４４２ａと区切られた第２の中空部４４４ａと、から構成されている。側面板４１２ａから延出した支持軸４１３ａの先端には、筒部４４１ａの内周（第２の中空部４４４ａ）よりわずかに径の小さい円盤部４４５ａが支持軸４１３ａと一体に設けられている。円盤部４４５ａは、第２の中空部４４４ａに収納されている。円盤部４４５ａは、弁４４３ａと当接することによって第１の中空部４４２ａへの移動が規制されている。円盤部４４５ａは、後述する第１の板バネ６１１ａと第２の板バネ６１２ａとによって弁４４３ａに対して押圧されている。このようにして、支持軸４１３ａは軸支持部４１４ａに支持されている。ＰＯＳ端末１を客側から見て右側に位置する支持機構４０１についても同様の構成を有する。
【００４０】
押圧機構５０１が有するトーションバネ５１１ａは、軸支持部４１４ａの筒部４４１ａに巻き付けられている。アーム５２２ａは、トーションバネ５１１ａの巻き付け方向に沿った方向を有している。アーム５２１ａは、その先端部分がトーションバネ５１１ａの巻き付け方向からＬ字状に屈曲している。軸支持部４１４ａの一部であるアーム保持部５１２ａには、支持軸４１３ａの軸方向に貫通したアーム穴５４１ａが形成されている。Ｌ字状に屈曲したアーム５２１ａは、アーム穴５４１ａに差し込まれている。このようにして、アーム５２１ａは、アーム保持部５１２ａに保持されている。ＰＯＳ端末１を客側から見て右側に位置する押圧機構５０１についても同様の構成を有する。
【００４１】
位置保持機構６０１は、第２の中空部４４４ａの中に、第１の接触部材として弧状に湾曲した第１の板バネ６１１ａと、第２の接触部材として弧状に湾曲した第２の板バネ６１２ａとを有している。第１の板バネ６１１ａと第２の板バネ６１２ａとは共に弾性を有する。第１の板バネ６１１ａと第２の板バネ６１２ａとは対面配置されて湾曲部分で互いに当接している。第１の板バネ６１１ａの両端部分は、荷物置き部２００の一部でもある円盤部４４５ａに当接している。第２の板バネ６１２ａの両端部分は、筒部４４１ａに当接している。第２の板バネ６１２ａは、第１の板バネ６１１ａを支持軸４１３ａの軸方向に押圧している。この押圧によって、第１の板バネ６１１ａと第２の板バネ６１２ａとの間には、接触摩擦が発生する。この発生する接触摩擦によって、表示部９ａは、垂直位置と傾斜位置との間の任意の位置に位置保持される。ここに、位置保持機構６０１が実現されている。ＰＯＳ端末１を客側から見て右側に位置する位置保持機構６０１についても同様の構成を有する。
【００４２】
そして、図５に示すように、荷物置き部２００は、支持軸４１３（支持軸４１３ａ、４１３ｂ）を中心にして位置移動し、任意の位置で位置保持される。
【００４３】
ここで、図６は荷物置き部２００を垂直位置に位置付けた場合のカウンタ１０を客側から見た斜視図である。図６に示すように、荷物置き部２００は、荷物置き面２００ａが垂直位置に位置付けられた場合に、カウンタ１０に載置されたＰＯＳ端末１の少なくとも一部が荷物置き部２００に重なってＰＯＳ端末１の少なくとも一部を客の視覚から遮る位置に設けられている。このような位置に設けられた荷物置き部２００を垂直位置に位置付けた場合には、ＰＯＳ端末１の少なくとも一部が荷物置き部２００によって客の視覚から遮られることになるので、客は直感的にＰＯＳ端末１が休止中であることを認識することができる。
【００４４】
また、図６に示すように、荷物置き部２００の荷物置き面２００ａとは反対の面２００ｂに、垂直位置に位置付けられた状態において客から視認可能な所定のメッセージＭを記載して表示する。ここで、表示される所定のメッセージＭは、例えばＰＯＳ端末１が休止中である旨のメッセージである。このようにすることで、客はＰＯＳ端末１が休止中であることを確実に認識することができる。
【００４５】
なお、図６に示す例では、所定のメッセージＭを荷物置き部２００の荷物置き面２００ａとは反対の面２００ｂに記載して表示するようにしたが、これに限るものではない。例えば、荷物置き部２００の荷物置き面２００ａとは反対の面２００ｂに有機ＥＬ（electroluminescence）ディスプレイなどの表示部（図示せず）を備え、この表示部が所定のメッセージＭ（例えば、ＰＯＳ端末１が休止中である旨のメッセージなど）を表示するものであっても良い。このように表示部に表示するようにした場合には、所定のメッセージＭとして各種の広告メッセージなども表示することができる。
【００４６】
また、荷物置き部２００の支持機構２１０は、ＰＯＳ端末１が休止中となった場合に、ＰＯＳ端末１から送信される休止信号を受けて自動的に水平位置から垂直位置に位置付けるようにしても良い。また、荷物置き部２００の支持機構２１０は、ＰＯＳ端末１が起動した場合に、ＰＯＳ端末１から送信される起動信号を受けて自動的に垂直位置から水平位置に位置付けるようにしても良い。
【００４７】
このように本実施形態によれば、ＰＯＳ端末１における会計時に客の手荷物を置くための荷物置き面２００ａを有する板状の荷物置き部２００をカウンタ１０の客側正面であってカウンタ面を構成する天板１１の下方に設けるとともに、荷物置き部２００を水平位置と垂直位置との間で位置移動可能に支持するようにした。これにより、荷物置き部２００に所定のメッセージＭ（例えば、ＰＯＳ端末１が休止中である旨のメッセージなど）を表示したり、ＰＯＳ端末１の少なくとも一部が垂直位置に位置付けた荷物置き部２００によって客の視覚から遮られる位置に荷物置き部２００を設けたりすることで、ＰＯＳ端末１の稼働中は客の手荷物を置くために利用する荷物置き部２００をＰＯＳ端末１を休止する際にはその旨を客に知らせるための案内板の代わりに利用することができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１          会計装置
１０        カウンタ
１０ａ      カウンタ本体
１１        カウンタ面
２００      荷物置き部
２００ａ    荷物置き面
２１０      支持機構
【先行技術文献】
【特許文献】
【００５０】
【特許文献１】特開２０１１−１０８２９０号公報
【図１】
2015156140.tif 000003
【図２】
2015156140.tif 000004
【図３】
2015156140.tif 000005
【図４】
2015156140.tif 000006
【図５】
2015156140.tif 000007
【図６】
2015156140.tif 000008